(57)【要約】【課題】光ファイバテープ心線３の被処理部３ａにおけるテープコート層７に切れ目を入れることなく、光ファイバテープ心線３の被処理部３ａにおけるテープコート層７のみを破断させる。【解決手段】工具ベース１３に設けられたスライダ２５と、スライダ２５に設けられかつ光ファイバテープ心線３の被処理部３ａにおけるテープコート層７の表面をしごく第１しごき部材３１と、スライダ３１における第１しごき部材３１に対向する位置に設けられかつ光ファイバテープ心線３の被処理部３ａにおけるテープコート層７の裏面をしごく第２しごき部材３７とを具備したこと。【選択図】    図１
2004279968.tif 000002
【特許請求の範囲】
【請求項１】
複数本の光ファイバ心線をテープコート層によってテープ状に一体化した光ファイバテープ心線の被処理部を前記光ファイバ心線毎に単心分離する際に用いられる単心分離工具において、
工具ベースと、
前記工具ベースに設けられ、前記光ファイバテープ心線の前記被処理部を前記工具ベースに対して固定するテープ心線固定具と、
前記工具ベースに設けられ、前記工具ベースの長手方向へ移動可能なスライダと、
前記スライダに設けられ、前記光ファイバテープ心線の前記被処理部における前記テープコート層の表面をしごく第１しごき部材と、
前記スライダにおける前記第１しごき部材に対向する位置に設けられ、前記第１しごき部材と協働して前記光ファイバテープ心線の前記被処理部における前記テープコート層を挟むように押圧可能であって、前記光ファイバテープ心線の前記被処理部における前記テープコート層の裏面をしごく第２しごき部材と、
を具備してなることを特徴とする単心分離工具。
【請求項２】
前記第１しごき部材と前記第２しごき部材による押圧力を調節する押圧力調節機構を具備してなることを特徴とする請求項１に記載の単心分離工具。
【請求項３】
前記第１しごき部材は、頂部に進入穴を有してあって、前記スライダに対して回転不能かつ前記第２しごき部材に接近離反する接近方向・離反方向へ移動可能に構成され、
前記第２しごき部材は、前記スライダに対して固定され、
前記押圧力調節機構は、
前記スライダに螺合して設けられ、外周部に支持突起を有し、先端部が前記第１しごき部材の前記進入穴に進入可能であって、螺合作用によって前記接近方向・離反方向へ移動可能な調節ねじと、
前記調節ねじにおける前記支持突起と前記第１しごき部材の間に設けられ、前記第１しごき部材を前記接近方向へ付勢するスプリングとを備えてなることを特徴とする請求項２に記載の単心分離工具。
【請求項４】
前記テープ心線固定具は、
前記工具ベースに前記長手方向へ離隔して設けられ、前記光ファイバテープ心線の前記被処理部の両側を保持する一対のテープ心線保持部材であることを特徴とする請求項１から請求項３のうちのいずれかの求項に記載の単心分離工具。
【請求項５】
前記一対のテープ心線保持部材のうち少なくとも一方のテープ心線保持部材を前記長手方向へ位置調節可能に構成されたことを特徴とする請求項４に記載の単心分離工具。
【請求項６】
前記第１しごき部材及び前記第２しごき部材の構成材料の弾性率が前記テープコート層の構成材料の弾性率よりも大きくなるように構成されたことを特徴とする請求項１から請求項５のうちのいずれかの請求項に記載の単心分離工具。
【請求項７】
前記第１しごき部材及び前記第２しごき部材の構成材料の弾性率が前記光ファイバ心線における着色層の構成材料の弾性率よりも小さくなるように構成されたことを特徴とする請求項１から請求項５のうちのいずれか請求項に記載の単心分離工具。
【請求項８】
前記第１しごき部材及び前記第２しごき部材の構成材料の弾性率が前記テープコート層の構成材料の弾性率よりも大きくかつ前記光ファイバ心線における着色層の構成材料の弾性率よりも小さくなるように構成されたことを特徴とする請求項１から請求項５のうちのいずれかの請求項に記載の単心分離工具。
【請求項９】
前記しごき部材が合成樹脂により構成されたことを特徴とする請求項１から請求項８のうちのいずれかの請求項に記載の単心分離工具。
【発明の詳細な説明】
【０００１】
【発明の属する技術分野】
本発明は、光ファイバテープ心線の被処理部を光ファイバ心線毎に単心分離する際に用いられる単心分離工具に関する。
【０００２】
【従来の技術】
通常、光ファイバケーブルの内部には、複数本の光ファイバ心線をテープコート層によってテープ状に一体化してなる光ファイバテープ心線を多数枚収容されている。また、前記光ファイバケーブルの有効利用を図るために、前記光ファイバケーブルを構成する光ファイバテープ心線の一部（被処理部）を光ファイバ心線毎に単心分離することは広く行われている。そして、光ファイバテープ心線を前記光ファイバ心線毎に単心分離する際に用いられる単心分離工具の技術として、例えば特許文献１に示すような技術があり、次のような構成を有している。
【０００３】
即ち、前記単心分離工具は工具ベースを備えており、この工具ベースには前記光ファイバテープ心線を前記工具ベースに対して固定するテープ心線固定具が設けられている。また、前記工具ベースには前記工具ベースの長手方向へ移動可能な前記スライダが設けられており、このスライダには前記光ファイバテープ心線を前記光ファイバテープ心線の幅方向へ移動不能にセットするセット部を有している。そして、前記スライダには複数の第１分離刃が設けられており、複数の前記第１分離刃は、それぞれ前記テープコート層の表側部分における対応する心線境界部位に切れ目を入れるものである。同様に、前記スライダには複数の第２分離刃が設けられており、複数の前記第２分離刃は、それぞれ前記テープコート層の裏側部分における対応する心線境界部位に切れ目を入れるものである。ここで、心線境界部位とは、隣接する前記光ファイバ心線の境界部分の位置のことをいう。
【０００４】
従って、前記光ファイバテープ心線を前記スライダにおける前記セット部に前記幅方向へ移動不能にセットする。次に、複数の前記第１分離刃によってそれぞれ前記テープコート層の表側部分における対応する心線境界部位に切り目を入れると共に、複数の前記第２分離刃によってそれぞれ前記テープコート層の裏側部分における対応する心線境界部位に切り目を入れる。そして、複数の前記第１分離刃及び複数の前記第２分離刃を前記長手方向へ前記スライダと一体的に移動させることにより、切り目が拡大して前記光ファイバテープ心線の前記被処理部における前記テープコート層を破断させることができる。これによって、前記光ファイバテープ心線の前記被処理部を前記光ファイバ心線毎に単心分離することができる。
【０００５】
【特許文献１】
特許３３０９３７８号公報
【０００６】
【発明が解決しようとする課題】
ところで、前記光ファイバテープ心線の単心分離を確実に行うためには、前記テープコート層の切り目を前記光ファイバ心線の径に応じて深くする必要がある。そのため、前記光ファイバテープ心線の前記被処理部における複数の前記光ファイバ心線の配列状態に乱れがある場合、複数の前記第１分離刃又は複数の前記第２分離刃の刃間ピッチに位置ずれがある場合、前記スライダにおける前記セット部に対する前記光ファイバテープ心線のセット状態が適切でない場合等にあっては、前記光ファイバテープ心線の単心分離の作業中に前記光ファイバ心線を誤って切断することがある。
【０００７】
そこで、前述の課題を解決するため、本発明にあっては、前記テープコート層に切り目を入れることなく、前記テープコート層を破断させることを可能にした単心分離工具を提供することを目的とする。
【０００８】
【課題を解決するための手段】
請求項１に記載の発明にあっては、複数本の光ファイバ心線をテープコート層によってテープ状に一体化した光ファイバテープ心線の被処理部を前記光ファイバ心線毎に単心分離する際に用いられる単心分離工具において、
工具ベースと、
前記工具ベースに設けられ、前記光ファイバテープ心線の前記被処理部を前記工具ベースに対して固定するテープ心線固定具と、
前記工具ベースに設けられ、前記工具ベースの長手方向へ移動可能なスライダと、
前記スライダに設けられ、前記光ファイバテープ心線の前記被処理部における前記テープコート層の表面をしごく第１しごき部材と、
前記スライダにおける前記第１しごき部材に対向する位置に設けられ、前記第１しごき部材と協働して前記光ファイバテープ心線の前記被処理部における前記テープコート層を挟むように押圧可能であって、前記光ファイバテープ心線の前記被処理部における前記テープコート層の裏面をしごく第２しごき部材と、
を具備してなることを特徴とする。
【０００９】
請求項１に記載の発明特定事項によると、まず、前記テープ心線固定具によって前記光ファイバテープ心線の前記被処理部を前記工具ベースに対して固定する。そして、前記第１しごき部材と前記第２しごき部材の協働によって前記光ファイバテープ心線の前記被処理部における前記テープコート層を挟むように押圧しつつ、前記第１しごき部材及び前記第２しごき部材を前記長手方向へ前記スライダと一体的に移動させて、前記第１しごき部材及び前記第２しごき部材によって前記光ファイバテープ心線の前記被処理部における前記テープコート層の表面及び裏面をしごく。これにより、前記第１しごき部材と前記光ファイバテープ心線の前記被処理部の表面との間の摩擦力及び前記第２しごき部材と前記光ファイバテープ心線の前記被処理部の裏面との間の摩擦力によって前記光ファイバテープ心線の前記被処理部における前記テープコート層にせん断応力を発生させて、前記光ファイバテープ心線の前記被処理部における前記テープコート層に切れ目を入れることなく、前記光ファイバテープ心線の前記被処理部における前記テープコート層のみを破断させる。
【００１０】
以上により、前記光ファイバテープ心線の前記被処理部を前記光ファイバ心線毎に単心分離することができる。
【００１１】
請求項２に記載の発明にあっては、請求項１に記載の発明特定事項の他に、前記第１しごき部材と前記第２しごき部材による押圧力を調節する押圧力調節機構を具備してなることを特徴とする。
【００１２】
請求項２に記載の発明特定事項によると、請求項１に記載の発明特定事項による作用の他に、前記第１しごき部材と前記第２しごき部材によるしごき回数を複数回とし、一回目のしごきにあっては、前記押圧力調節機構によって前記第１しごき部材と前記第２しごき部材による押圧力を小さく設定し、２回目以降のしごきにあっては、前記押圧力調節機構によって前記第１しごき部材と前記第２しごき部材による押圧力を小さい押圧力から徐々に大きくする。これによって、前記テープコート層の特性（前記テープコート層の材料特性，寸法特性を含む）に適した押圧力を調査しつつ、前記光ファイバテープ心線の単心分離の作業を行うことができる。
【００１３】
請求項３に記載の発明にあっては、請求項２に記載の発明特定事項の他に、前記第１しごき部材は、頂部に進入穴を有してあって、前記スライダに対して回転不能かつ前記第２しごき部材に接近離反する接近方向・離反方向へ移動可能に構成され、
前記第２しごき部材は、前記スライダに対して固定され、
前記押圧力調節機構は、
前記スライダに螺合して設けられ、外周部に支持突起を有し、先端部が前記第１しごき部材の前記進入穴に進入可能であって、螺合作用によって前記接近方向・離反方向へ移動可能な調節ねじと、
前記調節ねじにおける前記支持突起と前記第１しごき部材の間に設けられ、前記第１しごき部材を前記接近方向へ付勢するスプリングとを備えてなることを特徴とする。
【００１４】
請求項３に記載の発明特定事項によると、請求項２に記載の発明特定事項による作用の他に、前記調節ねじを螺合作用によって前記接近方向へ移動させて、前記スプリングを徐々に縮めると、前記スプリングによる付勢力、換言すれば前記第１しごき部材と前記第２しごき部材による押圧力を徐々に大きくできる。
【００１５】
なお、前記第１しごき部材と前記第２しごき部材による押圧力を解除する場合には、前記調節ねじを螺合作用によって緩めて前記離反方向へ位置調節して前記スプリングを元の状態に復帰させる。
【００１６】
請求項４に記載の発明にあっては、請求項１から請求項３のうちのいずれかの請求項に記載の発明特定事項の他に、前記テープ心線固定具は、
前記工具ベースに前記長手方向へ離隔して設けられ、前記光ファイバテープ心線の前記被処理部の両側を保持する一対のテープ心線保持部材であることを特徴とする。
【００１７】
請求項４に記載の発明特定事項によると、請求項１から請求項３のうちのいずれかの請求項に記載の発明特定事項による作用の他に、前記一対のテープ心線保持部材によって前記光ファイバテープ心線の前記被処理部の両側を保持することにより、前記光ファイバテープ心線を前記工具ベースに対して固定する。
【００１８】
請求項５に記載の発明にあっては、請求項４に記載の発明特定事項の他に、前記一対のテープ心線保持部材のうち少なくとも一方のテープ心線保持部材を前記長手方向へ位置調節可能に構成されたことを特徴とする。
【００１９】
請求項５に記載の発明特定事項によると、請求項４に記載の発明特定事項による作用の他に、前記一対のテープ心線保持部材によって前記光ファイバテープ心線の両側を保持した後に、少なくとも前記一方のテープ心線保持部材を他方のテープ心線保持部材に対して僅かに離反するように前記長手方向へ位置調節することにより、前記光ファイバテープ心線の前記被処理部が弛まないようにすることができる。
【００２０】
請求項６に記載の発明にあっては、請求項１から請求項５のうちのいずれかの請求項に記載の発明特定事項の他に、前記第１しごき部材及び前記第２しごき部材の構成材料の弾性率が前記テープコート層の構成材料の弾性率よりも大きくなるように構成されたことを特徴とする。
【００２１】
請求項６に記載の発明特定事項によると、請求項１から請求項５のうちのいずれかの請求項に記載の発明特定事項による作用の他に、前記第１しごき部材及び前記第２しごき部材の構成材料の弾性率が前記テープコート層の構成材料の弾性率よりも大きくなるように構成されているため、前記第１しごき部材及び前記第２しごき部材の硬度を前記テープコート層の硬度よりも大きくできる。
【００２２】
請求項７に記載の発明にあっては、請求項１から請求項５のうちのいずれかの請求項に記載の発明特定事項の他に、前記第１しごき部材及び前記第２しごき部材の構成材料の弾性率が前記光ファイバ心線における着色層の構成材料の弾性率よりも小さくなるように構成されたことを特徴とする。
【００２３】
請求項７に記載の発明特定事項によると、請求項１から請求項５のうちのいずれかの請求項に記載の発明特定事項による作用の他に、前記第１しごき部材及び前記第２しごき部材の構成材料の弾性率が前記光ファイバ心線における前記着色層の構成材料の弾性率よりも小さくなるように構成されているため、前記第１しごき部材及び前記第２しごき部材の硬度を前記光ファイバ心線における前記着色層の硬度よりも小さくできる。
【００２４】
請求項８に記載の発明にあっては、請求項１から請求項５のうちのいずれかの請求項に記載の発明特定事項の他に、前記第１しごき部材及び前記第２しごき部材の構成材料の弾性率が前記テープコート層の構成材料の弾性率よりも大きくかつ前記光ファイバ心線における着色層の構成材料の弾性率よりも小さくなるように構成されたことを特徴とする。
【００２５】
請求項８に記載の発明にあっては、請求項１から請求項７のうちのいずれかの請求項に記載の発明特定事項による作用の他に、前記第１しごき部材及び前記第２しごき部材の構成材料の弾性率が前記テープコート層の構成材料の弾性率よりも大きくかつ前記光ファイバ心線における着色層の構成材料の弾性率よりも小さくなるように構成されているため、前記しごき部材の硬度を前記テープコート層の硬度よりも大きくかつ前記光ファイバ心線における前記着色層の硬度よりも小さくできる。
【００２６】
請求項９に記載の発明にあっては、請求項１から請求項８のうちのいずれかの請求項に記載の発明特定事項の他に、前記しごき部材が合成樹脂により構成されていることを特徴とする。
【００２７】
請求項９に記載の発明にあっては、請求項１から請求項８のうちのいずれかの請求項に記載の発明特定事項による作用と同様の作用を奏する。
【００２８】
なお、本願の請求項に記載の発明の発明特定事項の説明中において、「設けられ」とは、直接設けられたことの他に、中間部材を介して間接的に設けられたことも含まれる。
【００２９】
【発明の実施の形態】
本発明の実施の形態について図１から図５を参照して説明する。
【００３０】
図１は、本発明の実施の形態に係わる単心分離工具の正面図であって、図２は、図１におけるＩ−Ｉ線に沿った図であって、図３（ａ）は、第１しごき部材と第２しごき部材の動作を説明する図であって、図３（ｂ）は、光ファイバテープ心線の被処理部の状態を説明する図であって、図４（ａ）は、第１しごき部材と第２しごき部材の動作を説明する図であって、図４（ｂ）は、光ファイバテープ心線の被処理部の状態を説明する図であって、図５は、発明の実施の形態に係わる光ファイバテープ心線の断面図である。ここで、「左右」とは、図１，図３（ａ），図４（ａ）において左右，図２において紙面に向かって表裏のことをいい、「上下」とは、図１，図２，図３（ａ），図４（ａ）おいて上下のことをいう。
【００３１】
図１及び図２に示されるような単心分離工具１について説明する前に、まず、図５を参照して光ファイバテープ心線３の一般的な構成について簡単に説明する。
【００３２】
光ファイバテープ心線３は、複数本（本発明の実施の形態にあっては４本）の光ファイバ心線５と、複数本の光ファイバ心線５を並べてテープ状に一体化するテープコート層７とを備えている。更に、各光ファイバ心線５は、光ファイバ素線９と、この光ファイバ素線９の外周部に一体成形された着色層１１とをそれぞれ有している。ここで、テープコート層７及び光ファイバ心線５における着色層１１は紫外線硬化型樹脂によりそれぞれ構成されている。
【００３３】
次に、図１及び図２を参照して、本発明の実施の形態に係わる単心分離工具１の構成について詳細に説明する。
【００３４】
本発明の実施の形態に係わる単心分離工具１は、光ファイバテープ心線３の被処理部３ａを光ファイバ心線５毎に単心分離する際に用いられる工具であって、工具ベース１３を備えている。この工具ベース１３は、左右方向（工具ベース１３の長手方向）に離隔した一対の支持ブロック１５Ｌ，１５Ｒと、一対の支持ブロック１５Ｌ，１５Ｒを連結する複数（本発明の実施の形態にあっては２つ）の連結バー１７とからなっている。ここで、各連結バー１７は左右方向へ延びるようにそれぞれ構成されている。
【００３５】
また、一方の支持ブロック１５Ｌ，１５Ｒには光ファイバテープ心線３の被処理部３ａの左側を把持するテープ心線クランプ（テープ心線保持部材の一例）１９Ｌがクランプガイド（図示省略）を介して左右方向へ位置調節可能に設けられており、他方の支持ブロック１５Ｒには光ファイバテープ心線３の被処理部３ａ右側を把持するテープ心線クランプ（テープ心線保持部材の一例）１９Ｒが設けられている。そして、一方のテープ心線クランプ１９Ｌを左右方向へ位置調節するため、一方の支持ブロック１５Ｌにはブラケット２１が設けられており、このブラケット２１には一方のテープ心線クランプ１９Ｌの右面に当接可能な調節ねじ２３が螺合して設けられてあって、この調節ねじ２３は螺合作用により左右方向へ移動可能である。また、各テープ心線クランプ１９Ｌ，１９Ｒの把持部は熱可塑性樹脂等の合成樹脂によりそれぞれ構成されている。なお、一対のテープ心線クランプ１９Ｌ，１９Ｒによって光ファイバテープ心線３の被処理部３ａの左右両側を把持する代わりに、別の一対のテープ心線保持部材により光ファイバテープ心線３の被処理部３ａの左右両側を吸着するようにしても差し支えない。
【００３６】
そして、複数の連結バー１７には左右方向へ移動可能なスライダ２５が設けられており、このスライダ２５は上下に対向した第１アーム２７と第２アーム２９を備えている。スライダ２５における第１アーム２７には光ファイバテープ心線３の被処理部３ａにおけるテープコート層７の表面をしごく第１しごき部材３１が設けられており、この第１しごき部材３１はスライダ２５に対して一対のしごきガイド３３を介して回転不能かつ上下方向へ移動可能に構成されてあって、第１しごき部材３１の頂部（上部）には進入穴３５が形成されている。また、スライダ２５における第２アーム２９には光ファイバテープ心線３の被処理部３ａにおけるテープコート層７の裏面をしごく第２しごき部材３７が設けられており、この第２しごき部材３７は、スライダ２５に対して固定されてあって、第１しごき部材３１と協働して光ファイバテープ心線３の被処理部３ａにおけるテープコート層７を挟むように押圧可能である。
【００３７】
ここで、第１しごき部材３１及び第２しごき部材３７は熱可塑性樹脂によりそれぞれ構成されており、第１しごき部材３１及び第２しごき部材３７の構成材料（熱可塑性樹脂）の弾性率は、テープコート層７の構成材料（紫外線硬化型樹脂）の弾性率よりも大きくかつ光ファイバ心線５における着色層１１の構成材料（紫外線硬化型樹脂）よりも小さくなるようにそれぞれ構成してある。これによって、第１しごき部材３１及び第２しごき部材３７の硬度をテープコート層７の硬度よりも大きくかつ光ファイバ心線５における着色層１１の硬度よりも小さくできる。なお、第１しごき部材３１及び第２しごき部材３７は熱可塑性樹脂の代わりに熱硬化型樹脂により構成されても差し支えない。
【００３８】
更に、スライダ２５には第１しごき部材３１と第２しごき部材３７による押圧力を調節する押圧力調節機構３９が設けられている。
【００３９】
即ち、スライダ２５における第１アーム２７には調節ねじ４１が螺合して設けられており、この調節ねじ４１は螺合作用により上下方向（第２しごき部材３７に接近離反する接近方向・離反方向）へ移動可能である。また、調節ねじ４１の外周部にはピン状又はフランジ状の支持突起４３が有してあって、調節ねじ４１の先端部（下端部）は第１しごき部材３１の進入穴３５に進入可能である。そして、調節ねじ４１における支持突起４３と第１しごき部材３１の間には第１しごき部材３１を下方向（前記接近方向）へ付勢するスプリング４５が座金４７を介して設けられている。
【００４０】
従って、調節ねじ４１を螺合作用により下方向へ移動させて、スプリング４５を徐々に縮めると、第１しごき部材３１と第２しごき部材３７による押圧力を小さい押圧力から徐々に大きくすることができる。なお、第１しごき部材３１と第２しごき部材３７による押圧力を解除する場合には、調節ねじ４１を螺合作用により上方向（前記離反方向）へ移動させてスプリング４５を元の状態に復帰させる。
【００４１】
前述の単心分離工具１の構成に基づいて本発明の実施の形態の作用について説明する。
【００４２】
まず、光ファイバテープ心線３の被処理部３ａにおけるテープコート層７を第１しごき部材３１と第２しごき部材３７の間に挿入する。次に、一方のテープ心線クランプ１９Ｌによって光ファイバテープ心線３の被処理部３ａの左側を把持すると共に、他方のテープ心線クランプ１９Ｒによって光ファイバテープ心線３の被処理部３ａの右側を把持する（図１参照）。これによって、光ファイバテープ心線３の被処理部３ａを工具ベース１３に対して固定することができる。なお、調節ねじ２３を螺合作用より左方向へ僅かに移動させて、一方のテープ心線クランプ１９Ｌを他方のテープ心線クランプ１９Ｒに僅かに離反するように左方向へ位置調節して、光ファイバテープ心線３を弛まないようにしておく。
【００４３】
光ファイバテープ心線３の被処理部３ａを工具ベース１３に対して固定した後に、調節ねじ４１を螺合作用により下方向へ移動させて、スプリング４５を徐々に縮めると、第１しごき部材３１と第２しごき部材３７の協働によって光ファイバテープ心線３の被処理部３ａにおけるテープコート層７を挟むように押圧する（図２（ａ）（ｂ）参照）。そして、第１しごき部材３１と第２しごき部材３７による押圧状態を保ちつつ、第１しごき部材３１及び第２しごき部材３７を左右方向へスライダ２５と一体的に移動させて、第１しごき部材３１及び第２しごき部材３７によって光ファイバテープ心線３の被処理部３ａにおけるテープコート層７の表面及び裏面をしごく（図３（ａ）参照）。これにより、第１しごき部材３１と光ファイバテープ心線３の被処理部３ａの表面との間の摩擦力及び第２しごき部材３７と光ファイバテープ心線３の被処理部３ａの裏面との間の摩擦力によって光ファイバテープ心線３の被処理部３ａにおけるテープコート層７にせん断応力を発生させて、光ファイバテープ心線３の被処理部３ａにおけるテープコート層７に切れ目を入れることなく、光ファイバテープ心線３の被処理部３ａにおけるテープコート層７のみを破断させる。
【００４４】
以上により、光ファイバテープ心線３の被処理部３ａを光ファイバ心線５毎に単心分離することができる（図３（ｂ）参照）。
【００４５】
また、第１しごき部材３１と第２しごき部材３７によるしごき回数は一回に限られものではなく、複数回としても差し支えない。即ち、一回目のしごきにあっては、押圧力調節機構３９によって第１しごき部材３１と第２しごき部材３７による押圧力を小さく設定し、２回目以降のしごきにあっては、押圧力調節機構３９によって第１しごき部材３１と第２しごき部材３７による押圧力を小さい押圧力から徐々に大きくする。これによって、テープコート層７の特性（テープコート層７の材料特性，寸法特性を含む）に適した押圧力を調査しつつ、光ファイバテープ心線３の単心分離の作業を行うことができる。
【００４６】
従って、本発明の実施の形態に係わる単心分離工具１によれば、光ファイバテープ心線３の被処理部３ａにおけるテープコート層７に切れ目を入れることなく、光ファイバテープ心線３の被処理部３ａにおけるテープコート層７のみを破断させるため、光ファイバテープ心線３の単心分離の作業中に光ファイバ心線５を誤って切断することがなくなる。
【００４７】
また、テープコート層７の特性に適した押圧力を調査しつつ、光ファイバテープ心線３の単心分離の作業を行うことが可能であるため、光ファイバ心線５の微小な曲がり抑制して、光ファイバテープ心線３の単心分離の作業中における光ファイバ心線５の伝送損失変動を小さくすることができる。
【００４８】
更に、第１しごき部材３１及び第２しごき部材３７の硬度をテープコート層７の硬度よりも大きくかつ光ファイバ心線５における着色層１１の硬度よりも小さくできるため、光ファイバテープ心線３の被処理部３ａにおけるテープコート層７の破断が容易になって、光ファイバテープ心線３の単心分離の作業能率が向上すると共に、光ファイバテープ心線３の作業中に光ファイバ心線５における着色層１１に外傷がほとんど生じなくなる。
【００４９】
なお、本発明は、前述の発明の実施の形態の説明に限るものではなく、適宜の変更を行うことにより、その他種々の態様で実施可能である。
【００５０】
【実施例】
次に、実施例について簡単に説明する。
【００５１】
テープコート層７の構成材料（紫外線硬化型樹脂）の弾性率Ｅ１、着色層１１の構成材料（紫外線硬化型樹脂）の弾性率Ｅ２、第１しごき部材３１及び第２しごき部材３７の構成材料（熱可塑性樹脂）の弾性率Ｅ３を変更して、本発明の実施の実施の形態に係わる単心分離工具を用いて単心分離の試験を行い、その結果をまとめると、表１に示すようになる。
【００５２】
【表１】
2004279968.tif 000003
ここで、単心分離の可否の欄における○は、テープコート層７が破断して単心分離できたことを示し、単心分離の可否の欄における×は、テープコート層７が破断せずに単心分離ができなかったことを示している。また、着色層の外傷の有無の欄における○は、単心分離後において着色層１１に外傷があったことを示しており、着色層の外傷の有無の欄における×は、単心分離後において着色層１１に外傷が無かったことを示している。なお、着色層１１の外傷の有無に関しては、単心分離後において光ファイバ心線５の一部分（長さ１００ｍｍの部分）を顕微鏡で観察して判断した。
【００５３】
【発明の効果】
請求項１に記載の発明によれば、前記光ファイバテープ心線の前記被処理部における前記テープコート層に切れ目を入れることなく、前記光ファイバテープ心線の前記被処理部における前記テープコート層のみを破断させるため、前記光ファイバテープ心線の単心分離の作業中において前記光ファイバ心線を誤って切断することがなくなる。
【００５４】
請求項２に記載の発明によれば、請求項１に記載の発明の効果の他に、前記テープコート層の特性に適した押圧力を調査しつつ、前記光ファイバテープ心線の単心分離の作業を行うことが可能であるため、前記光ファイバテープ心線の微小な曲がり抑制して、前記光ファイバテープ心線の単心分離の作業中における前記光ファイバ心線の伝送損失変動を小さくすることができる。
【００５５】
請求項３に記載の発明によれば、請求項２に記載の発明の効果と同様の効果を奏する。
【００５６】
請求項４に記載の発明によれば、請求項１から請求項３のうちのいずれかの請求項に記載の発明の効果と同様の効果を奏する。
【００５７】
請求項５に記載の発明によれば、請求項４に記載の発明の効果の他に、前記光ファイバテープ心線の前記被処理部が弛まないようにできるため、前記光ァイバテープ心線の微小な曲がり抑制して、前記光ファイバテープ心線の単心分離の作業中における前記光ファイバ心線の伝送損失変動を小さくすることができる。
【００５８】
請求項６に記載の発明によれば、請求項１から請求項５のうちのいずれかの請求項に記載の発明の効果の他に、前記しごき部材の硬度を前記テープコート層の硬度よりも大きくできるため、前記光ファイバテープ心線の前記被処理部における前記テープコート層の破断が容易になって、前記光ファイバテープ心線の単心分離の作業能率が向上する。
【００５９】
請求項７に記載の発明によれば、請求項１から請求項５のうちのいずれかの請求項に記載の発明の効果の他に、前記しごき部材の硬度を前記光ファイバ心線における前記着色層の硬度よりも小さくできるため、前記光ファイバテープ心線の作業中に前記光ファイバテープ心線の前記被処理部における前記着色層に外傷がほとんど生じなくなる。
【００６０】
請求項８に記載の発明によれば、請求項１から請求項５のうちのいずれかの請求項に記載の発明の効果の他に、前記しごき部材の硬度を前記テープコート層の硬度よりも大きくかつ前記光ファイバ心線における前記着色層の硬度よりも小さくできるため、前記光ファイバテープ心線の前記被処理部における前記テープコート層の破断が容易になって、前記光ファイバテープ心線の単心分離の作業能率が向上すると共に、前記光ファイバテープ心線の作業中に前記光ファイバテープ心線の前記被処理部における前記着色層に外傷がほとんど生じなくなる。
【００６１】
請求項９に記載の発明によれば、請求項１から請求項８のうちのいずれかの請求項に記載の発明の効果と同様の効果を奏する。
【図面の簡単な説明】
【図１】本発明の実施の形態に係わる単心分離工具の正面図である。
【図２】図１におけるＩ−Ｉ線に沿った図である。
【図３】図３（ａ）は、第１しごき部材と第２しごき部材の動作を説明する図であって、図３（ｂ）は、光ファイバテープ心線の被処理部の状態を説明する図である。
【図４】図４（ａ）は、第１しごき部材と第２しごき部材の動作を説明する図であって、図４（ｂ）は、光ファイバテープ心線の被処理部の状態を説明する図である。
【図５】発明の実施の形態に係わる光ファイバテープ心線の断面図である。
【符号の説明】
１              単心分離工具
３              光ファイバテープ心線
３ａ            被処理部
５              光ファイバ心線
７              テープコート層
１１              着色層
１３              工具ベース
１９Ｌ，１９Ｒ    テープ心線クランプ
２５              スライダ
３１              第１しごき部材
３５              進入穴
３７              第２しごき部材
３９              押圧力調整機構
４３              支持突起
４５              スプリング
【図１】
2004279968.tif 000004
【図２】
2004279968.tif 000005
【図３】
2004279968.tif 000006
【図４】
2004279968.tif 000007
【図５】
2004279968.tif 000008
【手続補正書】
【提出日】平成15年3月28日(2003.3.28)
【手続補正１】
【補正対象書類名】明細書
【補正対象項目名】００５２
【補正方法】変更
【補正の内容】
【００５２】
【表１】
2004279968.tif 000009
ここで、単心分離の可否の欄における○は、テープコート層７が破断して単心分離できたことを示し、単心分離の可否の欄における×は、テープコート層７が破断せずに単心分離ができなかったことを示している。また、着色層の外傷の有無の欄における○は、単心分離後において着色層１１に外傷が無かったことを示しており、着色層の外傷の有無の欄における×は、単心分離後において着色層１１に外傷があったことを示している。なお、着色層１１の外傷の有無に関しては、単心分離後において光ファイバ心線５の一部分（長さ１００ｍｍの部分）を顕微鏡で観察して判断した。